(57)【要約】【課題】寿命の短縮を抑制する。【解決手段】読み取り手段４に、所定範囲内の磁力の磁気記録媒体５ａの情報を読み取り可能な押圧力より低い第１押圧力で磁気記録媒体５ａを読み取らせるようにして、読み取り手段４の磁気記録媒体５ａに対する摩擦を減らすことができる。また、読み取り手段４が第１押圧力で磁気記録媒体５ａを読み取れなかった場合には、読み取り手段４に第１押圧力よりも高い第２押圧力で磁気記録媒体５ａの情報を再度読み取らせるようにした。これにより、読み取り手段４の摩耗を抑制して寿命の短縮を防止でき、読み取り後の処理を停止させずに継続することが可能となる。【選択図】図１
2013051012.tif 000002
【特許請求の範囲】
【請求項１】
カードに備えらえた磁気記録媒体に対して相対的に押圧しつつ相対的に移動して前記磁気記録媒体の情報を読み取る読み取り手段と、
前記読み取り手段に、所定範囲内の磁力の磁気記録媒体の情報を読み取り可能な押圧力より低い第１押圧力で前記磁気記録媒体を読み取らせ、前記第１押圧力で読み取れなかった場合に前記第１押圧力よりも高い第２押圧力で再度読み取らせる読み取り制御手段と、
を有することを特徴とするカード処理装置。
【請求項２】
前記第２押圧力は、前記所定範囲内の磁力の磁気記録媒体の情報を読み取り可能な押圧力よりも高いことを特徴とする請求項１記載のカード処理装置。
【請求項３】
前記第１押圧力は、前記所定範囲内の磁力の磁気記録媒体の情報を読み取り可能な押圧力の２９％程度であることを特徴とする請求項１記載のカード処理装置。
【請求項４】
前記読み取り制御手段は、前記読み取り手段に、前記読み取り手段が前記第２押圧力での読み取れなかった場合に前記第２押圧力よりも高い第３押圧力で再度読み取らせる、
ことを特徴とする請求項１記載のカード処理装置。
【請求項５】
前記第３押圧力は、前記所定範囲内の磁力の磁気記録媒体の情報を読み取り可能な押圧力よりも高いことを特徴とする請求項４記載のカード処理装置。
【請求項６】
前記第２押圧力は、前記所定範囲内の磁力の磁気記録媒体の情報を読み取り可能な押圧力の７２％程度であることを特徴とする請求項４記載のカード処理装置。
【請求項７】
前記所定範囲内の磁力は、ＪＩＳ規格に準拠するキャッシュカードの磁気ストライプの磁力から１０％減磁したものであることを特徴とする請求項１乃至６のいずれか１項に記載のカード処理装置。
【請求項８】
所定範囲内の磁力の磁気記録媒体の情報を読み取り可能な押圧力より低い第１押圧力でカードに備えらえた磁気記録媒体に対して相対的に押圧しつつ相対的に移動して前記磁気記録媒体の情報を読み取らせ、前記第１押圧力で読み取れなかった場合に前記第１押圧力よりも高い第２押圧力で再度読み取らせる、
ことを特徴とするカード処理方法。
【請求項９】
カードを受け付けて取引を実行する自動取引装置において、
前記カードに備えらえた磁気記録媒体に対して相対的に押圧しつつ相対的に移動して前記磁気記録媒体の情報を読み取る読み取り手段と、前記読み取り手段に、所定範囲内の磁力の磁気記録媒体の情報を読み取り可能な押圧力より低い第１押圧力で前記磁気記録媒体を読み取らせ、前記第１押圧力で読み取れなかった場合に前記第１押圧力よりも高い第２押圧力で再度読み取らせる読み取り制御手段と、を有するカード処理装置、
を備えることを特徴とする自動取引装置。
【発明の詳細な説明】
【技術分野】
【０００１】
本発明は、カード処理装置、カード処理方法及び自動取引装置に関する。
【背景技術】
【０００２】
キャッシュカード、クレジットカードまたはカードキー等の各種カードには、それぞれに必要な情報が磁気的に記録されている磁気ストライプが設けられている。
例えば、自動取引装置（以下、「ＡＴＭ（Automated Teller Machine）」）で利用されるキャッシュカードは、銀行コードと、支店コード、口座番号等の情報が磁気的に記録された磁気ストライプが備えられている。ＡＴＭはこのようなキャッシュカードと共にユーザにより暗証番号を受け付けると、磁気リーダライタがキャッシュカードの磁気ストライプから必要な情報を読み取り、所定の金融取引処理を実行する（例えば、特許文献１参照）。
【０００３】
なお、近年、磁気ストライプと共にＩＣ（Integrated Circuit）チップが設けられたキャッシュカードが普及している。ＩＣチップは磁気ストライプよりも記録容量が大きく、口座番号等の金融取引に必要な情報と共にキャッシュカードの認証に用いる鍵情報等が記録されており、記録情報の読み取り・改ざん等が困難とされている。このため、ＩＣチップ付きのキャッシュカードは不正行為及び偽造の防止が期待されている。このようなキャッシュカードのＩＣチップからはＩＣリーダライタにより必要な情報が読み取られる。
【先行技術文献】
【特許文献】
【０００４】
【特許文献１】特開２００７−９５１１３号公報
【発明の概要】
【発明が解決しようとする課題】
【０００５】
各種カードに設けられた磁気ストライプは、例えば、磁場に晒されたり衝撃を受けたり経時による磁化の劣化等により磁気が低下してしまう。磁気リーダライタは磁気が低下した磁気ストライプに読み取りを実行しても適切に情報を読み取ることができない場合がある。磁気ストライプの情報が読み取れない場合には、読み取り後に続く処理を開始することができずに、例えば、ＡＴＭであればその後の金融取引処理が停止されてしまうという問題点があった。
【０００６】
また、磁気ストライプの磁気の低下に備えて、磁気ストライプに対する磁気リーダライタの磁気ヘッドの押圧力を強めておくことが考えられる。しかし、この場合は磁気ヘッドの摩耗を早めてしまい磁気ヘッドの寿命が短縮してしまうという問題点があった。
【０００７】
本発明は、このような点を鑑みてなされたものであり、安定した磁気ストライプの読み取りを行いつつ、磁気ヘッドの寿命の短縮を抑制するカード処理装置、カード処理方法及び自動取引装置を提供することを目的とする。
【課題を解決するための手段】
【０００８】
上記目的を達成するために、カードに備えらえた磁気記録媒体に対して相対的に押圧しつつ相対的に移動して前記磁気記録媒体の情報を読み取る読み取り手段と、前記読み取り手段に、所定範囲内の磁力の磁気記録媒体の情報を読み取り可能な押圧力より低い第１押圧力で前記磁気記録媒体を読み取らせ、前記第１押圧力で読み取れなかった場合に前記第１押圧力よりも高い第２押圧力で再度読み取らせる読み取り制御手段と、を有するカード処理装置が提供される。
【０００９】
また、上記目的を達成するために、上記カード処理装置を備える自動取引装置並びに上記装置で利用されるカード処理方法が提供される。
【発明の効果】
【００１０】
このようなカード処理装置、カード処理方法及び当該カード処理装置を備える自動取引装置によれば、磁気リーダライタの磁気ヘッドの寿命の短縮を防止することができる。
【図面の簡単な説明】
【００１１】
【図１】第１の実施の形態に係るカード処理装置の概要図である。
【図２】第２の実施の形態に係るＡＴＭの外観図である。
【図３】第２の実施の形態に係るＡＴＭのハードウェア構成例を示す図である。
【図４】キャッシュカードの一例を示す図である。
【図５】第２の実施の形態に係るカード処理ユニットに設けられた磁気ヘッド押圧機構の一例を説明するための図（その１）である。
【図６】第２の実施の形態に係るカード処理ユニットに設けられた磁気ヘッド押圧機構の一例を説明するための図（その２）である。
【図７】第２の実施の形態に係るＡＴＭで実行されるカードの読み取り処理を示すフローチャート（その１）である。
【図８】第２の実施の形態に係るＡＴＭで実行されるカードの読み取り処理を示すフローチャート（その２）である。
【発明を実施するための形態】
【００１２】
以下、図面を参照して実施の形態について説明する。
［第１の実施の形態］
図１は、第１の実施の形態に係るカード処理装置の概要図である。なお、図１ではカード処理装置１の読み取り機構の要部について図示している。
【００１３】
カード処理装置１は、カードに設けられている磁気記録媒体を読み取り手段で通常よりも低い押圧力で読み取る。この時、適切に読み取れなかった場合に、当該磁気記録媒体に対する押圧力を高めて再度読み取り手段で読み取りを実行するものである。
【００１４】
このようなカード処理装置１は、磁気記録媒体５ａが設けられたカード５を受け付けて、当該カード５が搬送される搬送路２と、回転駆動することにより搬送路２上のカード５を所定位置に搬送させる搬送手段の一例としての搬送ローラ３ａ，３ｂとを備えている。さらに、カード処理装置は、読み取り手段４と、読み取り制御手段（図示を省略）とを備える。
【００１５】
読み取り手段４は、カード５に備えらえた磁気記録媒体５ａに対して相対的に押圧しつつ相対的に移動して磁気記録媒体５ａの情報を読み取る。カード５は、キャッシュカード、クレジットカード等の各種カードであり、磁気記録媒体５ａは磁気ストライプ等である。また、読み取り手段４は、磁気記録媒体５ａに応じて、例えば、磁気記録媒体５ａが磁気ストライプであれば、磁気ヘッドを備えた磁気リーダライタである。
【００１６】
図示を省略する読み取り制御手段は、読み取り手段４に、所定範囲内の磁力の磁気記録媒体の情報を読み取り可能な押圧力より低い第１押圧力で磁気記録媒体５ａを読み取らせ、第１押圧力で読み取れなかった場合に第１押圧力よりも高い第２押圧力で再度読み取らせる。また、このような読み取り制御手段は、このような読み取り時に必要に応じて搬送ローラ３ａ，３ｂの回転も制御する。
【００１７】
このような構成を有するカード処理装置１によるカード５の磁気記録媒体５ａの情報の読み取り方法について説明する。
まず、カード処理装置１がカード５を受け付けると、読み取り制御手段は搬送ローラ３ａ，３ｂを回転駆動させて搬送路２上のカード５を図１中左側に搬送させる（図１（Ａ））。
【００１８】
このようにして搬送路２上を搬送されたカード５は、読み取り手段４の間を通過する。この際に、カード５の磁気記録媒体５ａは読み取り手段４から所定範囲内の磁力の磁気記録媒体の情報を読み取り可能な押圧力より低い第１押圧力で押圧されながら搬送されて、読み取り手段４は磁気記録媒体５ａの情報の読み取りを実行する（図１（Ｂ））。
【００１９】
なお、カード処理装置１では、通常、様々な磁力状態のカード５に対応できるようにするために、読み取り手段４のカード５の磁気記録媒体５ａに対する押圧力を高めに設定している。ここでの第１押圧力は、このような通常の高めに設定された押圧力よりも低いものとする。なお、読み取り手段４の押圧力の詳細については、第２の実施の形態で説明する。
【００２０】
この時、読み取り手段４が磁気記録媒体５ａの情報を適切に読み取ることができれば、読み取り処理が終了する。
しかし、磁気記録媒体５ａの磁力の低下等により、読み取り手段４は第１押圧力で押圧しながら読み取りを実行しても、当該磁気記録媒体５ａから情報を適切に読み取ることができない場合には以下の処理を実行する。
【００２１】
カード処理装置１の読み取り制御手段は、搬送ローラ３ａ，３ｂを回転駆動させて搬送路２上のカード５を図１中右側に搬送させる（図１（Ｃ））。
このようにして搬送路２上を搬送されたカード５は、再び読み取り手段４の間を通過する。この際、読み取り手段４は第１押圧力よりも高い第２押圧力で、搬送されるカード５の磁気記録媒体５ａを押圧することで磁気記録媒体５ａの情報を読み取ることができるようになる（図１（Ｄ））。
【００２２】
このようにして、読み取り手段４に、所定範囲内の磁力の磁気記録媒体の情報を読み取り可能な押圧力より低い第１押圧力で磁気記録媒体５ａを読み取らせるようにした。これにより、読み取り手段４の磁気記録媒体５ａに対する摩擦を減らして、読み取り手段４の摩耗を抑制して寿命の短縮を防止できるようになる。
【００２３】
また、読み取り手段４が第１押圧力で磁気記録媒体５ａを読み取れなかった場合には、読み取り手段４に第１押圧力よりも高い第２押圧力で磁気記録媒体５ａの情報を再度読み取らせるようにした。これにより、第１押圧力での読み取れなかった磁気記録媒体５ａの情報を読み取れるようになり、読み取り後の処理を停止させずに継続することが可能となる。
【００２４】
このようにして、読み取り手段４に、所定範囲内の磁力の磁気記録媒体の情報を読み取り可能な押圧力より低い第１押圧力で磁気記録媒体５ａを読み取らせるようにして、読み取り手段４の磁気記録媒体５ａに対する摩擦を減らすことができる。また、読み取り手段４が第１押圧力で磁気記録媒体５ａを読み取れなかった場合には、読み取り手段４に第１押圧力よりも高い第２押圧力で磁気記録媒体５ａの情報を再度読み取らせるようにした。
【００２５】
これにより、読み取り手段４の摩耗を抑制して寿命の短縮を抑制できると共に、第１押圧力での読み取れなかった磁気記録媒体５ａの情報を読み取れるようになり、読み取り後の処理を停止させずに継続することが可能となる。
【００２６】
以下では、このようなカード処理装置を具備した機器としてＡＴＭの場合を例に挙げて説明する。
［第２の実施の形態］
まず、ＡＴＭ１００の外観について図２を用いて説明する。
【００２７】
図２は、第２の実施の形態に係るＡＴＭの外観図である。
金融機関で利用されるＡＴＭ１００の前面には、受付画面等を表示する表示部２０ａと、キャッシュカードが挿入／排出されるカード挿入／排出口３０ａ、通帳が挿入／排出される通帳挿入／排出口４０ａ、硬貨が入出金される硬貨入出金口５０ａ、紙幣が入出金される紙幣入出金口６０ａが設けられている。さらに、ＡＴＭ１００は以下のハードウェア構成を備える。
【００２８】
次に、第２の実施の形態のＡＴＭ１００のハードウェア構成について図３を用いて説明する。
図３は、第２の実施の形態に係るＡＴＭのハードウェア構成例を示す図である。また、図４は、キャッシュカードの一例を示す図である。
【００２９】
ＡＴＭ１００は、ＡＴＭ１００で実行される処理の制御を行う制御ユニット１０と、ユーザからの操作入力を受け付け、並びに、受付画面等を表示する表示ユニット２０を有する。また、キャッシュカードをカード挿入／排出口３０ａから挿入・排出するカード処理ユニット３０と、通帳を通帳挿入／排出口４０ａから挿入・排出する通帳処理ユニット４０、硬貨を硬貨入出金口５０ａから入出金する硬貨処理ユニット５０、紙幣を紙幣入出金口６０ａから入出金する紙幣処理ユニット６０を有する。
【００３０】
制御ユニット１０は、ＣＰＵ(Central Processing Unit)１０ａと、ＲＡＭ（Random Access Memory）１０ｂ、ＨＤＤ（Hard Disk Drive）１０ｃ、グラフィック処理部１０ｄ、入出力インタフェース１０ｅ、ホスト通信制御部１０ｆを備えており、これらの各部はバス１０ｈで相互に接続されている。
【００３１】
ＣＰＵ１０ａは、ＨＤＤ１０ｃ等の記憶媒体に記憶された各種プログラムを実行することにより、このＡＴＭ１００全体を統括的に制御する。
ＲＡＭ１０ｂには、ＣＰＵ１０ａに実行させるＯＳ（Operating System）並びにプログラムの少なくとも一部が一時的に格納される。また、ＲＡＭ１０ｂには、ＣＰＵ１０ａによる処理に必要な各種データが格納される。
【００３２】
ＨＤＤ１０ｃには、ＡＴＭ１００上のＯＳやアプリケーションのプログラムが格納される。また、ＨＤＤ１０ｃには、ＣＰＵ１０ａによる処理に必要な各種情報が格納される。
グラフィック処理部１０ｄには、表示ユニット２０が接続されている。グラフィック処理部１０ｄは、ＣＰＵ１０ａからの命令に従って所定の画面を表示ユニット２０の表示部２０ａに表示させる。また、グラフィック処理部１０ｄは、表示ユニット２０の入力検知部２０ｂで検知された表示部２０ａに表示した画面への操作入力に応じた情報を取得する。
【００３３】
入出力インタフェース１０ｅには、カード処理ユニット３０と、通帳処理ユニット４０、硬貨処理ユニット５０、紙幣処理ユニット６０が接続されている。入出力インタフェース１０ｅは、バス１０ｈを介してＣＰＵ１０ａからの制御信号を各ユニットに通知し、各ユニットからの信号を同様にＣＰＵ１０ａに通知する。
【００３４】
ホスト通信制御部１０ｆは、ＡＴＭ１００の管理等を行うホストコンピュータに金融系ネットワーク（それぞれ図示を省略）を介して通信可能に接続されており、ホストコンピュータと信号の送受信を行う。
【００３５】
続いて、その他の各ユニットについて説明する。
表示ユニット２０は、表示部２０ａと入力検知部２０ｂとを備え、グラフィック処理部１０ｄに接続されている。
【００３６】
表示部２０ａは、グラフィック処理部１０ｄからの画面情報に基づいて画面を表示する。
入力検知部２０ｂは、表示部２０ａが表示する画面に対するユーザのタッチを検知する。なお、入力検知部２０ｂが検知した画面のタッチ位置に表示されている取引内容が制御ユニット１０のＣＰＵ１０ａで実行される。
【００３７】
カード処理ユニット３０は、カード挿入／排出口３０ａからユーザにより挿入された、例えば、図４に示されるような磁気ストライプ６１０及びＩＣチップ６２０を備えるキャッシュカード６００に対して情報の読み出し等の処理を実行する。また、カード処理ユニット３０は、読み出し等の処理が完了したら、キャッシュカード６００を搬送させてカード挿入／排出口３０ａから排出してユーザに返却する。なお、カード処理ユニット３０は、読み取り制御部３０ｆを備えている。当該読み取り制御部３０ｆは、カード挿入／排出口３０ａから挿入されたキャッシュカード６００の搬送処理を実行する。さらに、キャッシュカード６００の磁気ストライプ６１０及びＩＣチップ６２０に対して磁気ヘッド及びＩＣ読み取りヘッドに読み取り処理等を実行させる。このような読み取り制御部は磁気ヘッド（及びＩＣ読み取りヘッドの磁気ストライプ６１０（及びＩＣチップ６２０）に対する押圧力を変化させることができる。読み取り制御部３０ｆによるこのような磁気ヘッドの磁気ストライプ６１０に対する押圧機構の一例の説明については後述する。
【００３８】
通帳処理ユニット４０は、通帳挿入／排出口４０ａからユーザにより挿入された通帳を所定位置まで搬送し、ユーザからの取引実行指示に応じて実行された取引の履歴等を通帳の頁に印字する。また、通帳処理ユニット４０は、取引履歴等の記録が完了した通帳を搬送して、通帳挿入／排出口４０ａから排出して、ユーザに返却する。
【００３９】
硬貨処理ユニット５０及び紙幣処理ユニット６０は、ＡＴＭ１００で実行した取引に応じて、当該取引の形式に基づく金額に対応する硬貨及び紙幣の入金または出金を硬貨入出金口５０ａ及び紙幣入出金口６０ａに対して実行する。
【００４０】
図５及び図６は、第２の実施の形態に係るカード処理ユニットに設けられた磁気ヘッド押圧機構の一例を説明するための図である。なお、磁気ストライプ６１０に対する磁気ヘッド３０ｄ１の押圧力が図６の方が図５の場合よりも高い場合を示している。また、図５（Ａ），（Ｂ）及び図６（Ａ），（Ｂ）はそれぞれ押圧機構３００の側面図を、図５（Ｃ）は押圧機構３００の上面図をそれぞれ表している。
【００４１】
押圧機構３００は、下部支持部材３１１ａと、上部支持部材３１１ｂとを備え、搬送路３０ｂが下部支持部材３１１ａと、上部支持部材３１１ｂとで構成されている。また、上部支持部材３１１ｂ上には押圧部材３１２が係止部３１３で係止されて配置されている。下部支持部材３１１ａには搬送路３０ｂ側に突出する磁気ヘッド３０ｄ２が設けられている。また、押圧部材３１２には上部支持部材３１１ｂを通して搬送路３０ｂ側に突出する磁気ヘッド３０ｄ１が磁気ヘッド３０ｄ２に対向して設けられている（図５（Ａ））。
【００４２】
押圧部材３１２上には、プランジャ３１４と、プランジャ３１４に備えられた鉄芯３１５、鉄芯３１５の先端部に係合され、軸３１７で回転自在に軸支された付勢部材３１６、付勢部材３１６と押圧部材３１２との間に設置された弾性部材３１８が設けられている（図５（Ａ），（Ｂ））。
【００４３】
このような押圧機構３００は読み取り制御部３０ｆの制御に応じて駆動したプランジャ３１４により鉄芯３１５がプランジャ３１４内部に引き込まれると、鉄芯３１５に係合されている付勢部材３１６が軸３１７を軸にして図５中反時計回りに回転する。すると、付勢部材３１６により弾性部材３１８が押圧部材３１２側に付勢されて、弾性部材３１８の弾性力が高まり押圧部材３１２を介して磁気ヘッド３０ｄ１の搬送路３０ｂ側への押圧力が高まる。
【００４４】
例えば、図５（Ａ），（Ｂ）に示されるように、プランジャ３１４により鉄芯３１５が固定されると弾性部材３１８が一定の所定の弾性力に維持されて、押圧部材３１２を介して磁気ヘッド３０ｄ１の搬送路３０ｂ側への押圧力も維持される。そして、搬送路３０ｂを搬送されるキャッシュカード６００により磁気ヘッド３０ｄ１が図５中上方に押されて押圧部材３１２は係止部３１３を支点として図５中上方に持ち上がる（図５（Ｂ））。この際、キャッシュカード６００の磁気ストライプ６１０は磁気ヘッド３０ｄ１により押圧される。
【００４５】
また、図５（Ａ）の磁気ヘッド３０ｄ１の押圧力を高める場合には、図６（Ａ），（Ｂ）に示されるように、プランジャ３１４による鉄芯３１５の引き込みを大きくすることで、弾性部材３１８の弾性力が高まり、キャッシュカード６００の磁気ストライプ６１０に対する磁気ヘッド３０ｄ１の押圧力も増加する。
【００４６】
ここでキャッシュカード６００の磁気ストライプ６１０に対する磁気ヘッド３０ｄ１による押圧力について説明する。
ＡＴＭ１００は一日に数多くのユーザにより利用されるものであり、ユーザから受け付けるキャッシュカード６００の磁気ストライプ６１０の磁力状態も様々である。さらに、キャッシュカード６００は例えば表面に凹凸等の形状の変形が生じる。このため、様々な磁力状態であって様々な形状変形が生じた磁気ストライプ６１０の情報を読み取れるように、磁気ヘッド３０ｄ１の磁気ストライプ６１０に対する押圧力は必要以上に高めに設定されている。ＪＩＳ規格に準拠したキャッシュカード６００の磁気ストライプ６１０の磁力から、例えば９０％に減磁した磁気ストライプ６１０から情報を読み取れるように磁気ヘッド３０ｄ１の押圧力が設定されている。この場合の磁気ヘッド３０ｄ１の押圧力を１００％として、磁気ヘッド３０ｄ１の押圧力またはＪＩＳ規格に準拠したキャッシュカード６００の磁気ストライプ６１０の減磁を変化させた計測結果を以下に示す。まず、磁気ヘッド３０ｄ１の押圧力を低下させた場合、２％まで低下させても、９０％に減磁した磁気ストライプ６１０から情報を読み取ることができた。また、ＪＩＳ規格に準拠したキャッシュカード６００の磁気ストライプ６１０の磁力から８０％に減磁した磁気ストライプ６１０から情報を読み取るには、磁気ヘッド３０ｄ１の押圧力を２９％まで低下させても情報を読み取ることができた。
【００４７】
さらに、長手方向及び短手方向に表面に凹凸が生じたＪＩＳ規格に準拠したキャッシュカード６００の磁気ストライプ６１０からは、磁気ヘッド３０ｄ１の押圧力を７２％まで低下させても情報を読み取ることができた。
【００４８】
次に、このような押圧力を利用したカード処理ユニット３０が実行するキャッシュカード６００に対する読み取り処理について図７及び図８を用いて説明する。
図７及び図８は、第２の実施の形態に係るＡＴＭで実行されるカードの読み取り処理を示すフローチャートである。
【００４９】
なお、以下では、上記で説明したように、ＪＩＳ規格に準拠したキャッシュカード６００の磁気ストライプ６１０の磁力から９０％に減磁した磁気ストライプ６１０から情報を読み取れる磁気ヘッド３０ｄ１の押圧力を１００％とした場合を例に挙げる。また、ステップＳ１６，Ｓ１８，Ｓ１９における押圧力は、上記の結果を利用して、それぞれ２９，７２，１００％とする。したがって、読み取り回数Ｎの最大値は３となる。
【００５０】
［ステップＳ１１］  ＡＴＭ１００のカード処理ユニット３０はカード挿入／排出口３０ａからキャッシュカード６００を受け付ける。
［ステップＳ１２］  カード処理ユニット３０の読み取り制御部３０ｆは、読み取り回数Ｎを初期化する。すなわち、ここで、読み取り回数Ｎに１がセットされる。
【００５１】
［ステップＳ１３］  読み取り制御部３０ｆが搬送ローラを回転駆動させて、例えば、図５，６の搬送路３０ｂ上のキャッシュカード６００を搬送させて、所定の読み取り位置に搬送させる。
【００５２】
［ステップＳ１４］  読み取り制御部３０ｆは、セットされた読み取り回数Ｎを取得する。
［ステップＳ１５］  読み取り制御部３０ｆは、ステップＳ１４で取得した読み取り回数Ｎが１であるか否かを判定する。
【００５３】
次の処理は、読み取り回数Ｎが１である場合にはステップＳ１６に進められ、読み取り回数Ｎが１以外である場合にはステップＳ１７に進められる。
［ステップＳ１６］  読み取り制御部３０ｆは、押圧力を弱（２９％）に設定する。
【００５４】
例えば、図５（Ａ）に示したように、プランジャ３１４の駆動に応じて、弾性部材３１８が所定量弛緩した状態となるように鉄芯３１５を固定して、９０％に減磁した磁気ストライプ６１０から情報を読み取れるように磁気ヘッド３０ｄ１の押圧力に対して２９％の押圧力が実現される。
【００５５】
［ステップＳ１７］  読み取り制御部３０ｆは、ステップＳ１４で取得した読み取り回数Ｎが２であるか否かを判定する。
次の処理は、読み取り回数Ｎが２である場合にはステップＳ１８に進められ、読み取り回数Ｎが２ではない場合（つまりＮ＝３である場合）にはステップＳ１９に進められる。
【００５６】
［ステップＳ１８］  読み取り制御部３０ｆは、押圧力を中（７２％）に設定する。
例えば、図６（Ａ）に示したように、プランジャ３１４の駆動に応じて、弾性部材３１８がある程度付勢された状態となるように鉄芯３１５をプランジャ３１４に引き込むことで、９０％に減磁した磁気ストライプ６１０から情報を読み取れるように磁気ヘッド３０ｄ１の押圧力に対して７２％の押圧力が実現される。
【００５７】
［ステップＳ１９］  読み取り制御部３０ｆは、押圧力を強（１００％）に設定する。
例えば、図６（Ａ）の場合に対してさらにプランジャ３１４の駆動に応じて、弾性部材３１８がより付勢された状態となるように鉄芯３１５をプランジャ３１４により引き込むことで、９０％に減磁した磁気ストライプ６１０から情報を読み取れるように磁気ヘッド３０ｄ１の押圧力に対して１００％の押圧力が実現される。
【００５８】
［ステップＳ２０］  読み取り制御部３０ｆは、設定した押圧力で磁気ヘッド３０ｄ１を押圧させて、磁気ストライプ６１０の読み取りを実行させる。
［ステップＳ２１］  読み取り制御部３０ｆは、磁気ヘッド３０ｄ１が読み取った磁気ストライプ６１０の磁気情報を取得する。
【００５９】
［ステップＳ２２］  読み取り制御部３０ｆは、ステップＳ２１で取得した磁気情報から、読み取りが成功したか否かを判定する。
次の処理は、読み取りが成功した場合にはステップＳ２３に進められ、成功しなかった場合にはステップＳ２５に進められる。
【００６０】
［ステップＳ２３］  読み取り制御部３０ｆは、搬送ローラを回転駆動させて、キャッシュカード６００を例えば図５，６の搬送路３０ｂの所定の退避位置に搬送して退避させる。
【００６１】
［ステップＳ２４］  ステップＳ２２で磁気ストライプ６１０の読み取りが成功して、その後に続けてユーザによりＡＴＭ１００の表示ユニット２０に対して指定された取引処理がＡＴＭ１００で実行される。
【００６２】
［ステップＳ２５］  読み取り制御部３０ｆは、読み取り回数Ｎに１を追加する。
［ステップＳ２６］  読み取り制御部３０ｆは、ステップＳ２５で追加した後の読み取り回数Ｎが４を越えているか否かを判定する。
【００６３】
次の処理は、読み取り回数Ｎが４を越えている場合にはステップＳ２７に進められ、４を越えていない場合にはステップＳ１４に再度進められる。
［ステップＳ２７］  読み取り制御部３０ｆは、搬送ローラを回転駆動させて、退避していたキャッシュカード６００を搬送して、カード挿入／排出口３０ａからユーザに返却する。
【００６４】
以上の処理により、キャッシュカード６００の読み取り処理が終了する。
なお、上記では、磁気ヘッド３０ｄ１の押圧力を３段階に変化させる場合を例に挙げて説明したが、３段階に限らず、例えば、弱（２９％）と強（１００％）の２段階、４段階上に設定することも可能である。
【００６５】
また、磁気ヘッド３０ｄ１の押圧力を予め２９％に設定しておき、ステップＳ２３でキャッシュカード６００の退避及びステップＳ２７でキャッシュカード６００の返却時に、磁気ヘッド３０ｄ１の押圧力を２９％に戻すようにすることも可能である。
【００６６】
また、磁気ヘッド３０ｄ１に限らず、ＩＣ読み取りヘッド３０ｅがＩＣチップ６２０を読み取れない場合に、当該ＩＣチップ６２０に対する押圧力を変化させることで、ＩＣチップ６２０の読み取りを向上させることも可能である。
【００６７】
なお、上記では、ＪＩＳ規格に準拠したキャッシュカード６００の磁気ストライプ６１０の磁力から９０％に減磁した磁気ストライプ６１０から情報を読み取れるように磁気ヘッド３０ｄ１の押圧力を１００％とした場合を例に挙げた。しかし、磁気ヘッド３０ｄ１の押圧力は、この場合に限らず、減磁しない磁力でも、その他の減磁率の磁力に基づいたものでも構わない。
【００６８】
このようにして、磁気ヘッド３０ｄ１に、所定磁力の磁気ストライプ６１０の情報を読み取り可能な押圧力より低い押圧力で磁気ストライプ６１０を読み取らせるようにすることで、磁気ヘッド３０ｄ１の磁気ストライプ６１０に対する摩擦を減らすことができる。また、磁気ヘッド３０ｄ１が上記の押圧力で磁気ストライプ６１０を読み取れなかった場合には、磁気ヘッド３０ｄ１の磁気ストライプ６１０に対する押圧力を高めて磁気ストライプ６１０の情報を再度読み取らせるようにした。
【００６９】
これにより、磁気ヘッド３０ｄ１の摩耗が抑制されて寿命の短縮を抑制できる。また、このような低い押圧力の磁気ヘッド３０ｄ１で磁気ストライプ６１０を読み取れない場合でも、押圧力を高めることで磁気ストライプ６１０が読み取れるようになり、読み取り後の処理を停止させずに継続することが可能となる。
【００７０】
なお、上記の処理機能は、コンピュータによって実現することができる。その場合、ＡＴＭ１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（可搬型記録媒体を含む）に記録しておくことができる。コンピュータで読み取り可能な記録媒体としては、磁気記録装置、光ディスク、光磁気記録媒体、半導体メモリ等がある。磁気記録装置には、ハードディスク装置（ＨＤＤ）、フレキシブルディスク（ＦＤ）、磁気テープ等がある。光ディスクには、ＤＶＤ（Digital Versatile Disc）、ＤＶＤ−ＲＡＭ、ＣＤ−ＲＯＭ(Read Only Memory)、ＣＤ−Ｒ（Recordable）／ＲＷ（ReWritable）等がある。光磁気記録媒体には、ＭＯ（Magneto-Optical disk）等がある。
【００７１】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【００７２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、サーバコンピュータからプログラムが転送されるごとに、逐次、受け取ったプログラムにしたがった処理を実行することもできる。
【００７３】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成及び応用例に限定されるものではない。
【符号の説明】
【００７４】
１  カード処理装置
２  搬送路
３ａ，３ｂ  搬送ローラ
４  読み取り手段
５  カード
５ａ  磁気記録媒体
【図１】
2013051012.tif 000003
【図２】
2013051012.tif 000004
【図３】
2013051012.tif 000005
【図４】
2013051012.tif 000006
【図５】
2013051012.tif 000007
【図６】
2013051012.tif 000008
【図７】
2013051012.tif 000009
【図８】
2013051012.tif 000010